(57)【要約】【課題】シューズ等又はブーツ等の除湿又は／及び消臭機能が高く、又保形機能も有し型崩れを十分に防止することができる安価な靴用除湿消臭具又は靴用除湿消臭保形具を提供する。【解決手段】通気性のある紙や布等のカバー部で覆われ、内部に除湿及び／又は消臭材を収納して膨らみをもたせた複数の柱状部を連結部を介して並列配置して靴用除湿消臭具又は靴用除湿消臭保形具を構成した。【選択図】図１
2014124223.tif 000002
【特許請求の範囲】
【請求項１】
通気性のある紙や布等のカバー部で覆われ、内部に除湿及び／又は消臭材を収納して膨らみをもたせた複数の柱状部を連結部を介して並列配置して構成したことを特徴とする靴用除湿消臭具又は靴用除湿消臭保形具。
【請求項２】
上記靴用除湿消臭具又は靴用除湿消臭保形具は、３つの柱状部を連結部を介して並列配置して構成したことを特徴とする請求項１に記載の靴用除湿消臭具又は靴用除湿消臭保形具。
【請求項３】
上記靴用除湿消臭具又は靴用除湿消臭保形具の全体形状を、上側が幅広に、下側が幅狭のテーパ形状としたことを特徴とする請求項１又は請求項２に記載の靴用除湿消臭具又は靴用除湿消臭保形具。
【請求項４】
上記柱状部間の連結部に、貫通孔を形成したことを特徴とする請求項１乃至請求項３のいずれかに記載の靴用除湿消臭具又は靴用除湿消臭保形具。
【請求項５】
上記複数の柱上部の内少なくとも一つの柱状部の下部に、除湿及び／又は消臭材を収納した膨らみをもたせた舌状片部を設けたことを特徴とする請求項１乃至請求項４のいずれかに記載の靴用除湿消臭具又は靴用除湿消臭保形具。
【請求項６】
上記舌状片部は、柱状部の下部に着脱自在に設けるようにしたことを特徴とする請求項５に記載の靴用除湿消臭具又は靴用除湿消臭保形具。
【請求項７】
上記靴用除湿消臭具又は靴用除湿消臭保形具に、各柱状部をまとめて一体化した際に開方向への付勢力を付与するための弾性部材を設けたことを特徴とする請求項１乃至請求項６のいずれかに記載の靴用除湿消臭具又は靴用除湿消臭保形具。
【発明の詳細な説明】
【技術分野】
【０００１】
本発明は、シューズ等（短靴やスニーカーなど）又はブーツ等（長靴やショートブーツやロングブーツなど）に使用して除湿及び／又は消臭を行う靴用除湿消臭具、又は同時に保形を行う靴用除湿消臭保形具に関する。
【背景技術】
【０００２】
一般にシューズ等やブーツ等（以下総称して靴等という）は、通気性が悪いため着用時の発汗や蒸れ等によって湿気がこもりやすく悪臭が発生する問題がある。
特にシューズ等では、靴甲部に履き皺が発生し型崩れし易い問題を有する。
一方ブーツ等では、胴筒部が長いため湿気や悪臭の問題が顕著であるばかりか、着用時や保管時の胴筒部の折れ曲がりにより足首部に皺が発生し、そのまま放置するとブーツ全体が型崩れを起こす問題を有する。
【０００３】
このため、靴等に挿入して除湿及び／又は消臭を行うようにした靴用除湿消臭具、除湿及び／又は消臭と同時に保形も行うようにした靴用除湿消臭保形具が数多く提案されている。
例えば、靴用除湿消臭具としては、通気性を有する袋状ケース内に脱臭吸湿剤を設けた靴の乾燥剤（特許文献１）、通気性を有する袋状ケース内に脱臭吸湿剤を設け、その中間部を折り曲げ自在とした靴の乾燥剤（特許文献２）、脱臭吸湿剤を浸み込ませた帯体を垂下するようにした靴の消臭具（特許文献３）などが提案されている。
また、靴用除湿消臭保形具のシューズ等用としては、シューキーパー内に活性炭等を設けた靴の脱臭具（特許文献４）、乾燥材を詰め込んだ靴の型保持具（特許文献５）、樹脂製の筒体内に消臭材を設けた靴用消臭保形具（特許文献６）など提案されている。
【０００４】
また、靴用除湿消臭保形具のブーツ等用としては、合成樹脂製のブーツキーパー内に脱臭材を設けたブーツ等の保形具（特許文献７、特許文献８）、空気で膨らませた筒状ブーツキーパー部の下部に脱臭材収納袋を設けたブーツの脱臭・除湿・型くずれ防止具（特許文献９）、一対の脚部と腕部を備えたブーツスタンドの脚部下部に消臭材を内蔵したブーツスタンド（特許文献１０）、筒状硬質芯材の外周にクッション材と外装カバー体を設けて形成したブーツキーパー本体下部に脱臭材収納容器を設けたブーツキーパー（特許文献１１）、プラスチック製の筒状袋体の表面に光触媒層を形成したブーツの形状保持具（特許文献１２）、珪藻土を吹き付けたレース地をロール状に形成した除湿消臭パック（特許文献１３）、などが提案されている。
【０００５】
その他、不織布で覆われ、内部に炭などを収納すると共に、その先端を屈曲できるようにしたブーツ等保形具（特許文献１４）なども提供されている。
【先行技術文献】
【特許文献】
【０００６】
【特許文献１】実開平４−４４９４２号
【特許文献２】実用新案登録第３０６３９５８号
【特許文献３】特開２００９−２７９１９１号
【特許文献４】実開昭４９−８１４６号
【特許文献５】実開平４−１５４０７号
【特許文献６】特開２０１２−１４３３３１号
【特許文献７】実開昭５４−２７８４４号
【特許文献８】特開２００６−１５８８９７号
【特許文献９】特開平９−２２４７１５号
【特許文献１０】特開２００５−３２９１４６号
【特許文献１１】実用新案登録第３１３１４９８号
【特許文献１２】実用新案登録第３０８１３１８号
【特許文献１３】実用新案登録第３１０４４４８号
【特許文献１４】意匠登録第１２８４９４８号
【発明の概要】
【発明が解決しようとする課題】
【０００７】
上記特許文献１、特許文献４、特許文献６乃至特許文献１１などの靴用除湿消臭具又は靴用除湿消臭保形具は、いずれも靴等内に局部的に除湿消臭部材を配置するだけなので除湿消臭効果が低い問題を有する。
この点、特許文献２及び特許文献３、特許文献１３及び特許文献１４は、靴等のソール部から脚部にわたって除湿消臭部材が配置されるので、上述した局部的に配置するものより良いが、いずれも除湿消臭部材の外表面のみで内部空気と接触して除湿消臭効果を得るだけなので、今一つ除湿消臭効果が低い問題を有する。
【０００８】
なお、上記特許文献５は靴等内全体を乾燥剤で埋め尽くすため除湿消臭効果は高いが、収納する乾燥剤も増え、例えばブーツ等になるとその量も大量となるためコスト高となり実用的でない問題を有する。
また、上記特許文献１２の靴用除湿消臭保形具は、装着時ブーツ等に挿入した筒状袋体には日が当たらない。しかも保管場所の玄関や下駄箱は日が当たるとは限らず、むしろ日が当たるところは少ないため光触媒を利用した抗菌・消臭効果を有効に得られない問題を有する。
【０００９】
また、靴等の除湿・消臭対策としてはできだけ靴等内を換気することが望ましいが、上記特許文献５、特許文献９、特許文献１１及び特許文献１２などの靴用除湿消臭保形具は、装着時に保形具によって内部を塞ぎ通気を遮断するため、ソール部内に湿気がこもって悪臭やカビの発生を助長することになる。又通気が遮断され内部空気の流れが生じないため除湿消臭部材との接触も少なく除湿消臭効果が低い問題を有する。
【００１０】
また、上記特許文献４、特許文献６乃至特許文献１１などの靴用除湿消臭保形具は、除湿消臭部材とは別に別途保形具を必要とするため、部品点数が増しコスト高となる問題を有する。
この点、特許文献５、特許文献１３及び特許文献１４などの靴用除湿消臭保形具は、除湿消臭部材自身が保形具を兼ねているので望ましいが、特許文献５は上述したように靴等内全体を乾燥剤で埋め尽くした形状のため実用的ではなく、又装脱作業が面倒で使い勝手が悪い問題を有する。又特許文献１３及び特許文献１４は、ブーツ等の胴筒部（脚部）の折れ曲がりを防止するだけで保形効果が低い問題を有する。即ち、シューズ等の甲部の曲り矯正や皺伸ばし、ブーツ等の胴筒部の円形保持や足首部の皺伸しなどの保形効果は殆ど得られず、型崩れを十分防止できない問題を有する。
【課題を解決するための手段】
【００１１】
本発明の靴用除湿消臭具又は靴用除湿消臭保形具は、第１に、通気性のある紙や布等のカバー部で覆われ、内部に除湿及び／又は消臭材を収納して膨らみをもたせた複数の柱状部を連結部を介して並列配置して構成したことを最も主要な特徴とする。
【００１２】
第２に、上記靴用除湿消臭具又は靴用除湿消臭保形具を、３つの柱状部を連結部を介して並列配置して構成したことを主要な特徴とする。
【００１３】
第３に、上記靴用除湿消臭具又は靴用除湿消臭保形具の全体形状を、上側が幅広に、下側が幅狭のテーパ形状としたことを主要な特徴とする。
【００１４】
第４に、上記柱状部間の連結部に、貫通孔を形成したことを主要な特徴とする。
【００１５】
第５に、上記複数の柱上部の内少なくとも一つの柱状部の下部に、除湿及び／又は消臭材を収納した膨らみをもたせた舌状片部を設けたことを主要な特徴とする。
【００１６】
第６に、上記舌状片部は、柱状部の下部に着脱自在に設けるようにしたことを主要な特徴とする。
【００１７】
第７に、上記靴用除湿消臭具又は靴用除湿消臭保形具に、各柱状部をまとめて一体化した際に開方向への付勢力を付与するための弾性部材を設けたことを主要な特徴とする。
【発明の効果】
【００１８】
第１に、本発明の靴用除湿消臭具又は靴用除湿消臭保形具は、連結部で折り曲げて各柱状部をまとめて一体化した状態で挿入されるが、装着時には自ら元の平坦な状態に復帰しようとする作用により開き靴内周面に沿った状態で同靴内周面に近接配置すること。靴用除湿消臭具又は靴用除湿消臭保形具の各柱状部の谷間となる連結部及び開放端部位に、靴内周面との間にできる隙間により外側通気路が形成される一方、靴用除湿消臭具又は靴用除湿消臭保形具の内側にできる空洞により内側通気路が形成され、靴用除湿消臭具又は靴用除湿消臭保形具を挟んでその内外で内部空気の換気が行われること。靴用除湿消臭具又は靴用除湿消臭保形具の表裏両面で内部空気と接触し除湿消臭作用が行われること。などにより除湿消臭効果を大幅に向上できる利点がある。
【００１９】
また、ブーツ等用の靴用除湿消臭具又は靴用除湿消臭保形具においては、上述したように装着時に開き筒状に靴内周面に沿った状態となるので、ロングブーツ等においては胴筒部の折れ曲がりを防止すると同時に、胴筒部を円形に保持し、これにより足首部の皺を伸ばし、型崩れを防止できる利点がある。
また、シューズ等用の靴用除湿消臭具又は靴用除湿消臭保形具においては、各柱状部をまとめて一体化した際の大きさを靴等のつま先部と同等程度の大きさにした場合、挿入時甲部の履き癖による上向きの曲りをまっすぐに矯正し、これにより甲部の皺を伸ばし、型崩れを防止できる利点がある。
【００２０】
第２に、上記靴用除湿消臭具又は靴用除湿消臭保形具を３つの柱状部を並列配置して構成したので、左右柱状部を引き寄せて中央柱状部の上で突き合わせるだけで容易に横断面視上三角形状にまとめ一体化することができ、作業性及び取扱いが簡単で使い勝手が良い利点がある。
【００２１】
第３に、靴用除湿消臭具又は靴用除湿消臭保形具の全体形状を上側が幅広に、下側が幅狭のテーパ形状としたので、シューズ等にあっては足挿入側が広くつま先側が狭い、又ブーツ等にあっては胴筒部の上部ふくらはぎ側が広く下部足首側が狭い形状に合致させることができ、挿入作業がスムーズにできると共に、装着時靴等の靴内周面により沿わせて近接配置することができ、除湿消臭効果をより高めることができる利点がある。
【００２２】
第４に、上記柱状部間の連結部に貫通孔を形成したので、同貫通孔を介して外側通気路と内側通気路を連通し、内周面表面から発する湿気や悪臭を外側通気路から内側通気路に導出して、内外両通気路で換気すると共に、靴用除湿消臭具又は靴用除湿消臭保形具の表裏両面で除湿消臭することができるので除湿消臭効果を更に高めることができる利点がある。
【００２３】
第５に、複数の柱状部の内少なくとも一つの下部に舌状片部を設けてなるので、ブーツ等にあっては靴用除湿消臭具又は靴用除湿消臭保形具を胴筒部に挿入すると同時に、舌状片部をソール部に挿入することができ、靴等内全体に除湿及び／又は消臭材を配置し除湿消臭効果を高めることができる利点がある。
また、まとめて一体化された状態の靴用除湿消臭具又は靴用除湿消臭保形具を靴等に挿入する際、舌状片部が設けられた柱状部の位置を、後方のかかと側位置、若しくは前方のつま先側位置に選択的に変更することにより、装着時の舌状片部の挿入先端位置を変更でき、例えば靴のサイズに応じて挿入先端位置を調整することができる利点がある。
【００２４】
第６に、柱状部の下部に着脱自在に舌状片部を設けることにより、必要に応じて舌状片を取り外して靴用除湿消臭具又は靴用除湿消臭保形具を胴筒部のみに使用、又は外した舌状片をソール部のみに使用、若しくは他の靴に使用するなど選択的に使用することができ使い勝手を向上できる利点がある。
【００２５】
第７に、靴用除湿消臭具又は靴用除湿消臭保形具をまとめて一体化した際に、より開方向への付勢力を付与するための弾性部材を設けてなるので、装着時シューズ等の内周面又はブーツ等の胴筒部の内周面を内側から外側方向に押し付けて張りを持たせることができ、保形及び皺伸ばし機能をより高め、型崩れをより一層防止できる利点がある。
【図面の簡単な説明】
【００２６】
【図１】本発明の一実施例のブーツ等用に好適な靴用除湿消臭具又は靴用除湿消臭保形具を示す斜視図である。
【図２】図１の靴用除湿消臭具又は靴用除湿消臭保形具を示し、（ａ）は平面図、（ｂ）は（ａ）中Ｘ−Ｘ断面図、（ｃ）は（ａ）中Ｙ−Ｙ断面図である。
【図３】図１の靴用除湿消臭具又は靴用除湿消臭保形具をまとめて一体化した状態を示す説明図である。
【図４】図３の靴用除湿消臭具又は靴用除湿消臭保形具をブーツ等へ挿入した時の状態を示し、（ａ）は挿入時の縦断面図、（ｂ）は挿入時の要部横断面図である。
【図５】図４の靴用除湿消臭具又は靴用除湿消臭保形具をブーツ等へ装着した時の状態を示し、（ａ）は装着時の縦断面図、（ｂ）は装着時の要部横断面図である。
【図６】図３の靴用除湿消臭具又は靴用除湿消臭保形具を、中央柱状部をつま先側に位置させてブーツ等に装着する状態を示し、（ａ）は挿入時の縦断面図、（ｂ）は装着時の縦断面図である。
【図７】本発明の他の一実施例のブーツ等用に好適な靴用除湿消臭具又は靴用除湿消臭保形具を示し、（ａ）は靴用除湿消臭具又は靴用除湿消臭保形具の正面図、（ｂ）は装着時の要部横断面図である。
【図８】本発明の他の一実施例のブーツ等用に好適な靴用除湿消臭具又は靴用除湿消臭保形具を示し、下状片部の着脱状態を示す説明図である。
【図９】本発明の他の一実施例のブーツ等用に好適な靴用除湿消臭具又は靴用除湿消臭保形具を示す平面図である。
【図１０】本発明の他の一実施例のシューズ等用に好適な靴用除湿消臭具又は靴用除湿消臭保形具を示し、（ａ）は靴用除湿消臭具又は靴用除湿消臭保形具の平面図、（ｂ）は装着状態を示す説明図、（ｃ）は装着時の要部横断面図である。
【発明を実施するための形態】
【００２７】
除湿消臭機能又は／及び保形機能に優れた靴用除湿消臭具又は靴用除湿消臭保形具を実現した。
【実施例１】
【００２８】
先ずは、ブーツ等に好適な本発明の一実施例の靴用除湿消臭具又は靴用除湿消臭保形具について図１から図９を用いて説明する。
図１及び図２に示すように靴用除湿消臭具又は靴用除湿消臭保形具本体１は、全体を例えば和紙や不織布等の通気性のある紙や布等のカバー部材２で覆われ、連結部６を介して並列配置した３つの柱状部３、４、５と、この中央柱状部３の下部に連結部８を介して連続して設けた舌状片部７とから大略構成している。
【００２９】
上記柱状部３、４、５及び舌状片部７は、図２（ｂ）及び図２（ｃ）に示すように内部に炭・活性炭・シリカゲル・ゼオライトなどの除湿及び／又は消臭材９が収納されそれぞれ膨らみを有する。
また、図１及び図２に示すように左右柱状部４、５の下端を互いに内側方向に傾けて設けることにより、靴用除湿消臭具又は靴用除湿消臭保形具本体１の全体形状を上端側が幅広に、下端側が幅狭となるようなテーパ形状としている。
【００３０】
上記靴用除湿消臭具又は靴用除湿消臭保形具本体１の上部連結代１０には、図２（ｂ）に示すように同靴用除湿消臭具又は靴用除湿消臭保形具本体１の各柱状部３，４，５をまとめて一体化した際により開方向への付勢力を付与するための合成樹脂製の弾性部材１１を内蔵している。
【００３１】
次にその使用時について説明する
先ず、図１及び図２（ａ）に示す平坦状態の靴用除湿消臭具又は靴用除湿消臭保形具本体１の左右柱状部４、５を、連結部６を折り曲げて互いに内側方向に持ち上げ中央柱状部３上で突き合わることにより、図３に示すように３つの柱状部３，４，５をまとめて一体化する。このように靴用除湿消臭具又は靴用除湿消臭保形具本体１を容易にまとめて一体化状態にすることができるので、その操作性及びその取扱いが非常に良く使い勝手のよいものである。
そして、一体化状態とされた靴用除湿消臭具又は靴用除湿消臭保形具本体１を、図４（ａ）のように舌状片部７を下にしてブーツ等Ｂの胴筒部Ｂ１に挿入する。この際、中央柱状部３をブーツ等Ｂの左右センター位置（胴筒部Ｂ１のつま先側位置又はかかと側位置）に配置、図４（ａ）ではかかと側に配置して挿入すると、靴用除湿消臭具又は靴用除湿消臭保形具本体１の挿入動作により舌状片部７下端がブーツ等Ｂの底に突き当たるが、更なる挿入動作に伴って連結部８が折れ曲がり自然と舌状片部７をソール部Ｂ２内に侵入させることができる。このため、一連の挿入作業にてスムーズに行うことができ操作性が非常に良い。
【００３２】
最終的に、図５（ａ）のようにブーツ等Ｂの胴筒部Ｂ１には柱状部３、４、５が、ソール部Ｂ２には舌状片部７がそれぞれ配置される。これにより、ブーツ等Ｂの胴筒部Ｂ１からソール部Ｂ２全域にわたり靴用除湿消臭具又は靴用除湿消臭保形具本体１が配置されるので、ブーツ等Ｂ全体で効果的に除湿又は／及び消臭が行われることとなる
【００３３】
なお、図４（ａ）と図６（ａ）及び図５（ａ）と図６（ｂ）に示すように中央柱状部３をブーツ等Ｂの左右センター位置の胴筒部Ｂ１のつま先側位置とかかと側位置に選択的に配置して挿入することにより、中央柱状部３の前後位置の距離分だけ舌状片部７の挿入先端位置を変更することができ、例えば靴のサイズに応じて選択的に挿入先端位置を調整することが可能となる。
【００３４】
また、一体化状態とした靴用除湿消臭具又は靴用除湿消臭保形具本体１は、挿入時には図４（ｂ）に示すようにブーツ等Ｂの胴筒部Ｂ１に余裕をもって挿入されるが、挿入後に手を離すと靴用除湿消臭具又は靴用除湿消臭保形具本体１が元の平坦な状態に復帰しようする作用及び上部連結代９内に設けた弾性部材１１の付勢力によって開き、膨らみを有する各柱状部３、４、５の外側頂部が胴筒部Ｂ１内周面に接し、同胴筒部Ｂ１内周面に沿った状態で近接配置される。
【００３５】
なお、ブーツ等Ｂの胴筒部Ｂ１は一般に上部ふくらはぎ側が広く下部足首側が狭くなっているが、上記靴用除湿消臭具又は靴用除湿消臭保形具本体１の全体形状をテーパ形状としたので、ブーツ等Ｂの胴筒部Ｂ１の形状に合致し同胴筒部Ｂ１全体にわたって内周面に沿わせた状態で近接配置することができる。
【００３６】
この際、図５（ｂ）に示すように膨らみを有する各柱状部３，４，５の谷間となる連結部６及び開放端部位に、胴筒部Ｂ１内周面との間にできる隙間により外部通気路１２が形成される。一方、靴用除湿消臭具又は靴用除湿消臭保形具本体１の内側にできる空洞により内部通気路１３が形成される。この靴用除湿消臭具又は靴用除湿消臭保形具本体１を挟んだ内外にそれぞれ形成された外部通気路１２及び内部通気路１３を介してブーツ等Ｂの内部空気の換気が行なわれると同時に、靴用除湿消臭具又は靴用除湿消臭保形具本体１はその表裏両面で内部空気と接し効率的に除湿消臭作用を行う。
【００３７】
このように、ブーツ等Ｂの胴筒部Ｂ１及びソール部Ｂ２にわたって靴用除湿消臭具又は靴用除湿消臭保形具本体１が設置されること、ブーツ等Ｂの胴筒部Ｂ１全体にわたって靴用除湿消臭具又は靴用除湿消臭保形具本体１が内周面に沿った状態で近接配置すること、同靴用除湿消臭具又は靴用除湿消臭保形具本体１の内外に外部通気路１２と内部通気路１３が形成され内部空気の換気が行なわれること、靴用除湿消臭具又は靴用除湿消臭保形具本体１の表裏両面で除湿消臭作用が行なわれること、などにより除湿消臭効果を大幅に向上することができる。
【００３８】
また、靴用除湿消臭具又は靴用除湿消臭保形具本体１が、装着時に筒状に開きブーツ等Ｂの胴筒部Ｂ１全体にわたってその内周面に沿った状態となるので、胴筒部Ｂ１の折れ曲がりを防止すると共に、胴筒部Ｂ１全体を円形に保持することができ、これにより足首部（胴筒部Ｂ１の付け根）の皺を伸ばし、ブーツ等Ｂの保形と型崩れを防止する。
【００３９】
また、靴用除湿消臭具又は靴用除湿消臭保形具本体１の上部連結代１０に弾性部材１１を設け、一体化した靴用除湿消臭具又は靴用除湿消臭保形具本体１に開方向へのより強い付勢力を付与するようにしているので、その付勢力により胴筒部Ｂ１を内側から外側方向に押し付けてしっかりと全体を円形に保持すると同時に、同胴筒部Ｂ１に張りを与え足首部（胴筒部Ｂ１の付け根）にできた履き皺や折れ曲がりよる皺をより伸ばす。これにより保形機能をより高めブーツ等Ｂの型崩れを一層防止することができる。
【００４０】
なお、例えばショートブーツや胴筒部Ｂ１がしっかりしているロングブーツなど保形機能をあまり必要としない場合には、上記弾性部材１１の付勢力を弱めても若しくはなくしても良い。この場合、靴用除湿消臭具又は靴用除湿消臭保形具本体１は元の平坦な状態に復帰しようする作用で筒状に開いた際、胴筒部Ｂ１を内側から外側に押し付けることはないが、上述したように胴筒部Ｂ１内周面に近接配置すること、靴用除湿消臭具又は靴用除湿消臭保形具本体１の内外に外気通気路１２と内側通気路１３が形成され靴用除湿消臭具又は靴用除湿消臭保形具本体１の内外で換気すること、靴用除湿消臭具又は靴用除湿消臭保形具本体１の表裏両面で除湿消臭すること、など上記同様に高除湿消臭効果は十分得ることができる。
【００４１】
また、例えば図７（ａ）に示すように連結部６に貫通孔１４を形成してもよい。この場合、装着時に図７（ｂ）に示すように外部通気路１２と内部通気路１３を連通することができるので、胴筒部Ｂ２内表面から発する湿気や悪臭を外部通気路１２を介して内部通気路１３に導出し効率的に換気できると共に、靴用除湿消臭具又は靴用除湿消臭保形具本体１の表裏両面で効果的に除湿消臭作用を行なわせることができ望ましい。
【００４２】
また、上記実施例においては、中央柱状部３の下部に連続して連結部８を介して舌状片部７を設けているが、例えば図８に示すように中央柱状部３の下部に舌状片部７を釦や面ファスナーなどの係止手段１５により着脱自在に設けるようにしてもよい。この場合、舌状片部７を必要に応じて取り外し、靴用除湿消臭具又は靴用除湿消臭保形具本体１の柱状部３、４、５部分のみをブーツ等Ｂの胴筒部Ｂ１に挿入して使用、外した舌状片部７をソール部Ｂ２に単独で使用、若しくは他の靴に使用するなど、選択的に使用することも可能となり使い勝手を向上することができる。
【００４３】
また、上記実施例においては靴用除湿消臭具又は靴用除湿消臭保形具本体１を３つの柱状部３、４、５を並列配置して構成したものについて説明したが、これに限定されるものではなく、例えば図９に示すように５つの柱状部１６を並列配置して構成するなど、少なくとも２つ以上の複数の柱状部を並列配置して構成するようにしても構わない。その場合、柱状部を増やすほど外部通気路１２をより多く且つ等間隔に配置でき、換気及び除湿消臭効果を高めることができる。
【００４４】
また、上記実施例においては靴用除湿消臭具又は靴用除湿消臭保形具本体１を左右柱状部４、５の下端を内側に傾けることにより全体形状をテーパ形状としたが、例えば図示しないが柱状部３、４，５の全て又は一部を上側が幅広、下側が幅狭形状とすることにより、全体形状をテーパ形状としてもよい。
なお、上記実施例では靴用除湿消臭具又は靴用除湿消臭保形具本体１の全体形状をテーパ形状としたものについて説明したが、これに限定されるものではなく例えば図９に示すように複数の各柱状部１６を単に並列配置して靴用除湿消臭具又は靴用除湿消臭保形具本体１形状を四角形状としても何ら構わない。
【実施例２】
【００４５】
次にシューズ等用に好適な本発明の他の実施例の靴用除湿消臭具又は靴用除湿消臭保形具について図１０を用いて説明する。
図１０に示すように靴用除湿消臭具又は靴用除湿消臭保形具１は、全体を同じく通気性のある紙や布等のカバー部材２で覆われ、連結部２０を介して並列配置した３つの柱状部１７、１８、１９から大略構成している。
【００４６】
上記柱状部１７、１８、１９は、内部に炭・活性炭・シリカゲル・ゼオライトなどの除湿及び／又は消臭材２１が収納されそれぞれ膨らみを有する。又図１０（ａ）に示すように左右柱状部１８、１９の下端を互いに内側方向に傾けて靴用除湿消臭具又は靴用除湿消臭保形具本体１の全体形状を上端側が幅広に、下端側が幅狭となるようなテーパ形状とすると共に、中央柱状部１７の上端側を左右柱状部１８、１９よりも短く構成している。
【００４７】
また、上記靴用除湿消臭具又は靴用除湿消臭保形具本体１には、図１０（ａ）に示すように左右全幅にわたって同靴用除湿消臭具又は靴用除湿消臭保形具本体１をまとめて一体化した際に開方向への付勢力を付与するための合成樹脂製の弾性部材２２を内蔵している。
【００４８】
次にその使用状態について説明する。
先ず、図１０（ａ）に示す平坦状態の靴用除湿消臭具又は靴用除湿消臭保形具本体１の左右柱状部１８、１９を、連結部２０を折り曲げて内側に引き寄せ中央柱状部１７上で突き合せることにより、３つの柱状部１７、１８，１９をまとめて一体化する。この際一体化された靴用除湿消臭具又は靴用除湿消臭保形具本体１の大きさは、シューズ等のつま先側と同程度の大きさとしている。
【００４９】
この状態で図１０（ｂ）に示すように中央柱状部１７を上側にしてシューズ等Ｓの足挿入口Ｓ２より内部に挿入すると、つま先側に挿入するのに伴って、シューズ等Ｓの甲部Ｓ１が履き癖により若干上向きに曲がっている状態からまっすぐな状態に矯正される。これと同時にシューズ等Ｓの甲部Ｓ１の履き皺も伸ばされるので、シューズ等Ｓの保形効果が得られ型崩れが防止される。
【００５０】
そして、装着された靴用除湿消臭具又は靴用除湿消臭保形具本体１は、元の平坦な状態に復帰しようする作用及び弾性部材２２の付勢力によって開き、図１０（ｃ）に示すように膨らみをもった各柱状部１７，１８，１９の外側頂部がシューズ等Ｓの左右両内側面及び上部内側面に接するので、シューズ等Ｓの底面（ソール部）を除く内側面に沿った状態に近接配置される。なお、靴用除湿消臭具又は靴用除湿消臭保形具本体１はその全体形状をテーパ形状としているので、シューズ等Ｓのつま先側が狭く、かかと側（足挿入口Ｓ２側）が広い形状と合致し、挿入作業がスムーズであると共に、シューズ等Ｓ全体にわたってその内周面に近接配置することとなる。
また、装着時に弾性部材２２の付勢力によってシューズ等Ｓの左右内側面及び状側面を内側から外側方向に押し付けることができるので、シューズ等Ｓ全体に張りを持たせ保形及び皺伸ばし効果を得ることができる。これにより、型崩れをより一層防止できる。
【００５１】
この際、図１０（ｃ）に示すように膨らみをもった各柱状部１７、１８，１９の谷間となる連結部２０に、シューズ等Ｓ内面との間にできる隙間により外部通気路２３が形成される一方、内部にできる空洞により内部通気路２４が形成される。これにより、この靴用除湿消臭具又は靴用除湿消臭保形具本体１を挟んでその内外に形成された外部通気路２３及び内部通気路２４を介して内部空気の換気が行なわれると共に、靴用除湿消臭具又は靴用除湿消臭保形具本体１はその表裏両面で内部空気と接し効率的に除湿消臭作用を行う。この時、中央柱状部１７の上端側を左右柱状部１８，１９に対して短く形成しているので、図１０（ｂ）に示すように装着時にシューズ等Ｓの足挿入口Ｓ２を塞ぐこともなく内部空気の換気を邪魔することはない。
なお、シューズ等Ｓの除湿消臭は、一般的に中敷等を用いて行われることが多いが、シューズ等Ｓ内部の両側面及び上面については行われていない。この点本発明の靴用除湿消臭具又は靴用除湿消臭保形具本体１は、このシューズ等Ｓ内部の両側面及び上面に靴用除湿消臭具又は靴用除湿消臭保形具本体１が近接配置し効率的に除湿消臭することができる。
【００５２】
このように、靴用除湿消臭具又は靴用除湿消臭保形具本体１がシューズ等Ｓ全体にわたって内周面に近接配置すること、同靴用除湿消臭具又は靴用除湿消臭保形具本体１の内外に外部通気路２０と内部通気路２１が形成され内部空気の換気が行なわれること、靴用除湿消臭具又は靴用除湿消臭保形具本体１の表裏両面で除湿消臭作用が行なわれること、などにより除湿消臭効果を大幅に向上することができる。
【００５３】
なお、上述したブーツ等用の靴用除湿消臭具又は靴用除湿消臭保形具同様に、図示しないが靴用除湿消臭具又は靴用除湿消臭保形具本体１を２つ以上の柱状部を並列配置して構成しても、又各柱状部１７、１８，１９間の連結部２０に貫通孔を形成しても、又靴用除湿消臭具又は靴用除湿消臭保形具本体１を複数の柱状部を単に並列配置して全体形状を四角形状としても何ら問題ないことは説明するまでもない。
【００５４】
また、シューズ等Ｓの甲部Ｓ１の保形機能を必要としない場合には、例えば上記柱状部１７、１８、１９の太さを小さくしても、又弾性部材２２の弾性力を弱くしたり、若しくは弾性部材２２を無くしてもよい。この場合、一体化された靴用除湿消臭具又は靴用除湿消臭保形具本体１を挿入した際に甲部の矯正は行わなず保形機能は得られないが、上述したように靴用除湿消臭具又は靴用除湿消臭保形具本体１がシューズ等Ｓ全体にわたって内周面に近接配置すること、同靴用除湿消臭具又は靴用除湿消臭保形具本体１の内外に外部通気路２３と内部通気路２４が形成され内部空気の換気が行なわれること、靴用除湿消臭具又は靴用除湿消臭保形具本体１の表裏両面で除湿消臭作用が行なわれること、などにより、高い除湿消臭効果を得ることができる。
【００５５】
また、シューズ等用及びブーツ等用いずれの靴用除湿消臭具又は靴用除湿消臭保形具本体も、別途保形具を必要としないので部品点数が少なく安価に提供することができるものである。
【産業上の利用可能性】
【００５６】
本発明の靴用除湿消臭具又は靴用除湿消臭保形具は、シューズ等やブーツ等のほか、例えば登山靴やスキーブーツ、スケートシューズ等のようにスポーツ用や特殊用途の靴においても適応できる。
【符号の説明】
【００５７】
１    靴用除湿消臭具又は靴用除湿消臭保形具
２    カバー部材
３、４、５、１６、１７、１８，１９    柱状部
６、８、２０    連結部
７    舌状片部
９、２１    除湿及び／又は消臭材
１０    連結代
１１、２２  弾性部材
１２、２３  外部通気路
１３、２４  内部通気路
１４  貫通孔
１５  係止手段
Ｂ  ブーツ等
Ｂ１  胴筒部
Ｂ２  ソール部
Ｓ    シューズ等
Ｓ１    甲部
Ｓ２    足挿入口
【図１】
2014124223.tif 000003
【図２】
2014124223.tif 000004
【図３】
2014124223.tif 000005
【図４】
2014124223.tif 000006
【図５】
2014124223.tif 000007
【図６】
2014124223.tif 000008
【図７】
2014124223.tif 000009
【図８】
2014124223.tif 000010
【図９】
2014124223.tif 000011
【図１０】
2014124223.tif 000012